(57)【要約】【課題】釦の振動を遊技者に適切に認識させる。【解決手段】前側容器２と後側容器１３とからなる装置筐体が押釦取付部材４６に固定され、釦２０が装置筐体に前後方向に移動可能に取り付けられて弾性体２５の弾性で後側から前側に付勢され、モータ支持片２２が釦２０から部品収容室４４に突出しかつスイッチ操作部２１やスイッチ基板２６およびスイッチ２８から離れかつスイッチ操作部２１やスイッチ基板２６およびスイッチ２８よりも後側に位置するように釦２０に固定され、偏心錘３９を有するモータ３６がモータ支持片２２の後部に取り付けられ、釦２０が遊技者で押していてもいなくても押されていても、モータ３６が電力で駆動すると、偏心錘３９が出力軸３８を中心として周回して振動を発生し、係る振動がスイッチ操作部２１やスイッチ基板２６およびスイッチ２８に伝達されることなくモータ支持片２２から釦２０に直接的に伝達される。【選択図】図１
2008061687.tif 000002
【特許請求の範囲】
【請求項１】
遊技機筐体の前部に取り付けられる装置筐体と、遊技機筐体の前側から操作し得るように装置筐体に前後方向に移動可能に取り付けられた釦と、釦を装置筐体に対し後側から前側に弾性で付勢するように釦と装置筐体とにわたって設けられた弾性体と、装置筐体の内部に形成された部品収容室と、部品収容室において装置筐体に固定されたスイッチ基板と、スイッチ基板に固定されたスイッチと、釦から部品収容室に突出されかつ弾性体の弾性に抗する釦の前側から後側への移動および弾性体の弾性による釦の後側から前側への移動ごとにスイッチを操作するように釦に固定されたスイッチ操作部と、釦から部品収容室に突出されかつスイッチ操作部やスイッチ基板およびスイッチから離れかつスイッチ操作部やスイッチ基板およびスイッチよりも後側に位置するように釦に固定されたモータ支持片と、モータ支持片のスイッチ操作部やスイッチ基板およびスイッチよりも後側に位置する後部に取り付けられたモータと、モータの出力軸に固定された振動を発生するための偏心錘とを備えたことを特徴とする遊技機の押釦装置。
【請求項２】
請求項１に記載の装置筐体にはモータのモータ配線とスイッチのスイッチ配線とを互いに別々の配線として部品収容室から装置筐体の外部に引き出す配線孔が設けられたことを特徴とする遊技機の押釦装置。
【請求項３】
請求項１に記載の釦が遊技機に搭載された部品に演出を指示する演出ボタンとして構成されたことを特徴とする遊技機の押釦装置。
【請求項４】
請求項１に記載のモータ支持片が釦を部品収容室に取り付けるための筐体取付足として構成されたことを特徴とする遊技機の押釦装置。
【発明の詳細な説明】
【技術分野】
【０００１】
本発明は、釦の振動が遊技者に適切に認識させられる遊技機の押釦装置に関する。
【背景技術】
【０００２】
遊技機の押釦装置には、図７または図８に示す構造が知られている。図７における遊技機の押釦装置は、振動駆動源１０１が回胴停止釦１０２よりも後側に回胴停止釦１０２から離れて設置され、回胴停止釦１０２が弾性体１０３の弾性に抗し遊技者によって矢印Ｘ１で示すように前側から後側に押されて移動して振動板１０４に接触した状態において、振動駆動源１０１が振動すると、当該振動が振動板１０４から回胴停止釦１０２を経由して遊技者に伝達される一方、上記遊技者による前側から後側に押されることが回胴停止釦１０２から解除されると、弾性体１０３が回胴停止釦１０２を後側から前側に移動し、回胴停止釦１０２が振動板１０４から離れ、振動板１０４から回胴停止釦１０２への振動の伝達が遮断される構造である。このため、回胴停止釦１０２が遊技者によって前側から後側に押していない限り、回胴停止釦１０２が振動板１０４から離れてしまい、振動を遊技者に認識させることができないという欠点がある。図８における遊技機の押釦装置は、振動発生器２０１が始動レバー２０２を操作パネル２０３に支持する取付ブラケット２０４に設けられ、制御装置２０５において大当たりが発生すると、制御装置２０５が振動発生器２０１を駆動し、振動発生器２０１が振動を発生し、この発生した振動が取付ブラケット２０４に伝達され、始動レバー２０２が取付ブラケット２０４を経由する振動で間接的に振動する構造である。このため、振動発生器２０１を小型に構成した場合、始動レバー２０２の振動が小さくなり、振動を遊技者に認識させることができないという欠点がある。
【特許文献１】特開２００１−１９８２６２号公報
【特許文献２】特開２０００−５３５７号公報
【発明の開示】
【発明が解決しようとする課題】
【０００３】
発明が解決しようとする問題点は、釦の振動を遊技者に認識させることができないという点である。
【課題を解決するための手段】
【０００４】
本発明に係る遊技機の押釦装置は、遊技機筐体の前部に取り付けられる装置筐体と、遊技機筐体の前側から操作し得るように装置筐体に前後方向に移動可能に取り付けられた釦と、釦を装置筐体に対し後側から前側に弾性で付勢するように釦と装置筐体とにわたって設けられた弾性体と、装置筐体の内部に形成された部品収容室と、部品収容室において装置筐体に固定されたスイッチ基板と、スイッチ基板に固定されたスイッチと、釦から部品収容室に突出されかつ弾性体の弾性に抗する釦の前側から後側への移動および弾性体の弾性による釦の後側から前側への移動ごとにスイッチを操作するように釦に固定されたスイッチ操作部と、釦から部品収容室に突出されかつスイッチ操作部やスイッチ基板およびスイッチから離れかつスイッチ操作部やスイッチ基板およびスイッチよりも後側に位置するように釦に取り付けられたモータ支持片と、モータ支持片のスイッチ操作部やスイッチ基板およびスイッチよりも後側に位置する後部に固定されたモータと、モータの出力軸に固定された振動を発生するための偏心錘とを備えたことを最も主要な特徴とする。装置筐体にはモータのモータ配線とスイッチのスイッチ配線とを互いに別々の配線として部品収容室から装置筐体の外部に引き出す配線孔が設けられたり、または、釦が遊技機に搭載された部品に演出を指示する演出釦として構成されたり、または、モータ支持片が釦を部品収容室に取り付けるための筐体取付足として構成されたりしてもよい。
【発明の効果】
【０００５】
本発明に係る遊技機の押釦装置は、釦が装置筐体に前後方向に移動可能に取り付けられて弾性体で後側から前側に弾性で付勢され、モータ支持片が釦から装置筐体の内部の部品収容室に突出しかつスイッチ操作部やスイッチ基板およびスイッチから離れかつスイッチ操作部やスイッチ基板およびスイッチよりも後側に位置するように釦に固定され、振動を発生するための偏心錘を有するモータがモータ支持片のスイッチ操作部やスイッチ基板およびスイッチよりも後側に位置する後部に取り付けられたことによって、モータの駆動による偏心錘から発生した振動がスイッチ操作部やスイッチ基板およびスイッチに伝達されることなくモータ支持片から釦に直接的に伝達され、釦の振動を遊技者に適切に認識させることができるという利点がある。装置筐体にはモータのモータ配線とスイッチのスイッチ配線とを互いに別々の配線として装置筐体の内部空間から外部に引き出す配線孔が設けられれば、スイッチ配線が部品収容室においてモータ支持片やモータおよび偏心錘に接触しない限り、モータの駆動による偏心錘から発生した振動がスイッチ配線に伝達されることがなく、スイッチの信号がノイズを含まずにスイッチ配線を経由して出力されるという利点がある。釦が遊技機に搭載された部品に演出を指示する演出釦として構成されれば、演出に関する操作が、釦の振動による遊技者の視覚、聴覚、触覚に訴えられるという利点がある。モータ支持片が釦を部品収容室に取り付けるための筐体取付足として構成されれば、モータ支持片と筐体取付足とを釦に別々に構成した場合よりも、構造が簡単になるという利点がある。
【発明を実施するための最良の形態】
【０００６】
図１乃至図４は、発明を実施するための最良の形態である。図１は、押釦装置１が遊技機における押釦取付部材４６に取り付けられた断面を示す。図２は、押釦装置１を分解して示す。図３は、押釦装置１の外観を示す。図４は、押釦装置１の取り付けられたパチンコ遊技機を示す。本明細書において、「前」、「表」、「後」、「裏」、「左」、「右」、「上」、「下」の方向は、図４の状態に遊技機枠４８を置いて図４の紙面の前側から見た場合に特定される方向である。「前」および「表」は、同じ方向である。「後」および「裏」は、同じ方向である。
【０００７】
図２を参照し、遊技機の押釦装置１について説明する。図２において、２は前側容器、３は鍔部、４は弾性支持片、５は釦収容部、６は弾性受止部、７は釦取付孔、８は操作逃避孔、９は基板取付部、１０は位置決め部、１１は前側取付部、１２は化粧取付部、１３は後側容器、１４は配線孔、１５は位置決め部、１６は後側取付部、１７は化粧体、１８はフランジ部、１９は筐体取付部、２０は釦、２１はスイッチ操作部、２２はモータ支持片、２３は抜止突起、２４はモータ取付部、２５は弾性体、２６はスイッチ基板、２７は筐体取付部、２８はスイッチ、２９は凹部、３０は発光部、３１は受光部、３２はコネクタ、３３はスイッチ配線、３４はコネクタ、３５はコネクタ、３６はモータ、３７は釦取付足、３８は出力軸、３９は偏心錘、４０はモータ配線、４１はコネクタ、４２は止ねじ、４３は止ねじを示す。
【０００８】
前側容器２は、前側が塞がれ、後側が開口した、有蓋筒状であって、後側容器１３と組み合わせられることによって、押釦装置１の装置筐体を構成する。鍔部３は、前側容器２の周壁の前部から径方向外側に突出する環状として、前側容器２の前部に設けられる。径方向は、前後方向と直交する方向である。弾性支持片４は、前側容器２の周壁の中間部から径方向外側に突出する弾性片として、前側容器２の周壁に複数設けられる。釦収容部５は、前側容器２の前面から内部への窪みとして、前側容器２の前部に設けられる。弾性受止部６は、釦収容部５の前面から前側容器２の内部に窪む溝として、前側容器２の前部に設けられる。よって、弾性受止部６が釦収容部５の内部に釦収容部５と同心状に配置された形態である。弾性受止部６の内径は、釦収容部５の内径よりも小さい。
【０００９】
釦取付孔７は、釦２０を前側容器２に前後方向に移動可能に取り付ける部分であって、前後方向への貫通孔として、釦収容部５の前壁に複数設けられる。操作逃避孔８は、前後方向への貫通孔として、弾性受止部６の中央部に設けられる。基板取付部９は、スイッチ基板２６を前側容器２に固定的に取り付けるための部分であって、弾性受止部６の裏面から前側容器２の内部に突出する筒状として、弾性受止部６に複数設けられる。位置決め部１０は、前側容器２と後側容器１３との位置合わせを行う部分であって、前側容器２の周壁の後側と径方向とに開口し、前側容器２の周壁の後端から前側に窪む溝として、前側容器２の後部に設けられる。前側取付部１１は、後側容器１３を前側容器２に固定的に取り付けるための部分であって、前側容器２の周壁から内部に突出する筒状として、前側容器２の後部に複数設けられる。化粧取付部１２は、化粧体１７を前側容器２に固定的に取り付けるための部分であって、径方向への貫通孔として、釦収容部５の周壁に複数設けられる。
【００１０】
後側容器１３は、前側容器２の後側の開口を塞ぐ板状である。配線孔１４は、前後方向への貫通孔として、後側容器１３に設けられる。位置決め部１５は、前側容器２と後側容器１３との位置合わせを行う部分であって、後側容器１３の前面から前側への突起として、後側容器１３に設けられる。後側取付部１６は、後側容器１３を前側容器２に固定的に取り付けるための部分であって、前後方向への貫通孔として、後側容器１３に設けられる。化粧体１７は、釦２０の周囲の縁取りを形成する筒状である。フランジ部１８は、化粧体１７の周壁の前部から径方向外側に突出する環状として、化粧体１７に設けられる。筐体取付部１９は、化粧体１７の外周面から径方向外側への突起として、化粧体１７に設けられる。
【００１１】
釦２０は、前側が閉じられ、後側が開口した、有蓋筒状である。スイッチ操作部２１は、釦２０が人による弾性体２５の弾性に抗して前側から後側への移動および釦２０が弾性体２５の弾性によって後側から前側への移動するごとにスイッチ２８を操作するものであって、釦２０の前壁の中央から後側への直線的な突起として、釦２０に固定的に設けられる。モータ支持片２２は、釦２０の周壁から後側への直線的な突片として、釦２０に複数固定的に設けられる。抜止突起２３は、釦２０が前側容器２に移動可能に取り付けられた場合に脱落しないように作用する部分であって、モータ支持片２２の外面から外側への突起として、モータ支持片２２に設けられる。モータ取付部２４は、モータ３６を釦２０に取り付けるために、径方向への貫通孔として、モータ支持片２２に設けられる。弾性体２５は、釦２０を前側容器２と後側容器１３とからなる装置筐体に対し後側から前側に弾性で付勢するように釦２０と装置筐体とにわたって設けられるものであって、スイッチ操作部２１の外径よりも内径の大きなコイルスプリングにより構成される。抜止突起２３がモータ支持片２２に設けられたことによって、モータ支持片２２が釦２０を前側容器２に前後方向に移動可能に取り付けるための筐体取付足として構成された形態である。
【００１２】
スイッチ基板２６は、回路基板により構成される。スイッチ基板２６は、板面を前側容器２の前後に向け、前側容器２の内部に収容される大きさである。筐体取付部２７は、スイッチ基板２６を前側容器２に取り付けるために、前後方向への貫通孔として、スイッチ基板２６に複数設けられる。スイッチ２８は、釦２０が人によって操作されたことを検出した電気信号を出力する部品であって、スイッチ基板２６の前面に固定的に取り付けられる。凹部２９は、スイッチ２８の前側および径方向に開口し、スイッチ２８の前面から後側への窪みとして、スイッチ２８の前部に設けられる。発光部３０は、スイッチ２８の凹部２９で隔てられた一方に設けられる。受光部３１は、スイッチ２８の凹部２９で隔てられた他方に設けられる。コネクタ３２は、スイッチ基板２６に実装される。スイッチ２８およびコネクタ３２は、スイッチ基板２６におけるプリント配線と呼ばれる箔状の図外の配線で、互いに接続される。スイッチ配線３３は、被覆配線により構成され、スイッチ２８に電力を供給したり、スイッチ２８からの電気信号を出力したりする。コネクタ３４は、スイッチ配線３３の一端部に固定される。コネクタ３４の電気接続端子は、スイッチ配線３３の導体に接続される。コネクタ３５は、スイッチ配線３３の他端部に固定される。コネクタ３５の電気接続端子は、スイッチ配線３３の導体に接続される。
【００１３】
モータ３６は、前側容器２の内部空間に収容され、釦２０のモータ支持片２２に取り付けられる。釦取付足３７は、モータ３６をモータ支持片２２に取り付けるために、モータ３６の容器から径方向外側に突出した突起として、モータ３６に複数設けられる。出力軸３８は、モータ３６のロータに接続されてモータ３６の容器から外側に突出した軸である。偏心錘３９は、出力軸３８と一緒に回転するように、出力軸３８の容器から外側に突出した部分に固定される。偏心錘３９の重心は、出力軸３８よりも径方向に位置がずれている。よって、電力がモータ３６に供給されて、出力軸３８が一方向に回転すると、偏心錘３９の重心が出力軸３８を中心として周回し、振動が発生する。つまり、モータ３６および偏心錘３９が、振動発生源を構成する。モータ配線４０は、モータ３６のステータに巻かれた励磁コイルに電力を供給する被覆配線により構成され、モータ３６の容器から外側に突出する。コネクタ４１は、モータ配線４０におけるモータ３６の容器から外側に突出した端部に固定される。コネクタ４１の電気接続端子は、モータ配線４０の導体に接続される。
【００１４】
押釦装置１の組立方について説明する。化粧体１７が前側容器２の前側から釦収容部５に収容され、筐体取付部１９が化粧取付部１２に嵌め込まれる。これによって、化粧体１７が前側容器２に取り付けられる。弾性体２５の後部が前側容器２の前側から弾性受止部６に配置された後、釦２０のモータ支持片２２が前側容器２の前側から化粧体１７の内部空間を経由して釦取付孔７に挿入され、抜止突起２３が釦取付孔７を前側から後側に通過して釦収容部５における釦取付孔７の周りの後面と対向し、弾性体２５が弾性受止部６と釦２０とにわたって設けられて釦２０を装置筐体に対し後側から前側に弾性で付勢し、抜止突起２３が釦収容部５における釦取付孔７の周りの後面に接触する。これによって、釦２０が前側容器２の前部に前後方向に移動可能に取り付けられて弾性体２５で後側から前側に弾性で付勢される（図１参照）。釦２０および弾性体２５が前側容器２に取り付けられた後、化粧体１７が前側容器２に取り付けられてもよい。
【００１５】
スイッチ配線３３のコネクタ３４がスイッチ基板２６のコネクタ３２に接続され、スイッチ２８が前側容器２の側に向けられ、スイッチ基板２６が前側容器２の後側から前側容器２の内部空間に収容され、止ねじ４２が前側容器２の後側から筐体取付部２７を経由して基板取付部９に締結される。これによって、スイッチ基板２６が前側容器２の内部空間において前側容器２に固定的に取り付けられる（図１参照）。コネクタ３４がコネクタ３２に接続されるのは、スイッチ基板２６が前側容器２に取り付けられた後でもよい。その後、モータ３６の釦取付足３７が前側容器２の側に向けられ、モータ３６が前側容器２の後側から前側容器２の内部空間に収容され、釦取付足３７がモータ支持片２２を径方向外側に広げつつモータ取付部２４に嵌め込まれ、モータ支持片２２が自身の弾性で径方向内側に復元して狭くなる。これによって、モータ３６が前側容器２の内部空間においてモータ支持片２２に固定的に取り付けられる（図１参照）。
【００１６】
次に、コネクタ３４およびスイッチ配線３３の後部、コネクタ４１およびモータ配線４０の後部が後側容器１３の前側から配線孔１４を経由して後側容器１３の後側に引き出され、位置決め部１５が前側容器２の後側から位置決め部１０に嵌め込まれ、止ねじ４３が後側容器１３の後側から後側取付部１６を経由して前側取付部１１に締結され、後側容器１３が前側容器２に固定的に取り付けられる。これによって、押釦装置１が図１および図３に示すように組み立てられる。
【００１７】
図１を参照し、押釦装置１の組み立てられた構造について説明する。前側容器２および後側容器１３が互いに組み合わせられることによって押釦装置１の装置筐体を構成し、前側容器２の内部空間が後側容器１３で塞がれることによって装置筐体の内部には部品収容室４４が形成される。部品収容室４４には、スイッチ操作部２１、モータ支持片２２、スイッチ基板２６、スイッチ２８、モータ３６、偏心錘３９などの部品が収容される。釦２０が前側容器２の前部に前後方向に移動可能に取り付けられて弾性体２５で後側から前側に弾性で付勢され、抜止突起２３が釦収容部５における釦取付孔７の周りの後面に後側から接触して受け止められた場合、釦２０の前部が化粧体１７よりも前側に突出し、釦２０の周壁と釦収容部５の前面との間には隙間４５が形成される。
【００１８】
押釦装置１が遊技機における押釦取付部材４６に取り付けられるには、後側容器１３および前側容器２からなる装置筐体が押釦取付部材４６の前側から押釦取付部材４６に形成された押釦取付孔４７に挿入されるのに伴い、弾性支持片４が押釦取付孔４７で押されて径方向内側に撓んで狭まりつつ押釦取付孔４７を通過し、弾性支持片４が押釦取付孔４７を通過した後に自身の弾性で径方向外側に復元して広がり、鍔部３が押釦取付孔４７を前側から目隠しするように塞ぎ、鍔部３および弾性支持片４がそれらの間に押釦取付部材４６を前後方向から挟む格好になり、後側容器１３および前側容器２からなる装置筐体が押釦取付部材４６に固定的に取り付けられる。これによって、押釦装置１が遊技機における押釦取付部材４６に固定的に取り付けられ、釦２０が遊技機筐体における釦取付部材４６の前側から操作し得るようになる。
【００１９】
このように押釦装置１が押釦取付部材４６に固定的に取り付けられた場合、釦２０が前側容器２の前部に前後方向に移動可能に取り付けられて弾性体２５で後側から前側に弾性で付勢され、抜止突起２３が釦収容部５の後面に後側から接触して受け止められ、スイッチ操作部２１がスイッチ２８よりも前側に離れて配置されている。そして、コネクタ３５；４１が図外の制御装置に接続され、当該制御装置から電力がスイッチ配線３３を経由してスイッチ２８に供給されると、発光部３０から発射された光が凹部２９を経由して受光部３１に到達し、受光部３１がスイッチ操作部２１を検出していないオフ信号を上記制御装置に出力する。つまり、図１に示すように釦２０が弾性体２５の弾性によって後側から前側に移動し、抜止突起２３が釦収容部５の後面に受け止められた場合、スイッチ操作部２１がスイッチ２８よりも前側に離れ、スイッチ２８がスイッチ操作部２１を検出していないことを示すオフ信号を制御装置に出力する。
【００２０】
スイッチ２８がオフ信号を制御装置に出力している状態において、遊技者が弾性体２５の弾力に抗して釦２０を前側から矢印Ｘ１で示すように前側から後側に押すと、釦２０が弾性体２５を圧縮しつつ前側から後側に移動し、スイッチ操作部２１がスイッチ２８の凹部２９に前側から進入して発光部３０から受光部３１に向かう光を遮断し、受光部３１がスイッチ操作部２１を検出したオン信号を上記制御装置に出力する。つまり、釦２０が図１に示す状態から弾性体２５の弾性に抗して前側から後側に移動し、抜止突起２３が釦収容部５の後面から後側に離れた場合、スイッチ操作部２１がスイッチ２８に近づき、スイッチ２８がスイッチ操作部２１を検出していることを示すオン信号を制御装置に出力する。
【００２１】
換言するならば、スイッチ操作部２１は、弾性体２５の弾性に抗する釦２０の前側から後側への移動および弾性体２５の弾性による釦２０の後側から前側への移動ごとに、スイッチ２８を操作する。遊技者が釦２０を前側から後側に最も押した場合、例えば、弾性体２５がそれ以上圧縮できなくなるか、または、隙間４５が零となって、釦２０の周壁が釦収容部５の前面に接触するかして、釦２０がそれ以上後側に移動できなくなり、スイッチ操作部２１がスイッチ２８に接触しないようになっている。これによって、スイッチ２８が損傷しないように保護される。
【００２２】
釦２０が前側容器２と後側容器１３とからなる装置筐体に前後方向に移動可能に取り付けられて弾性体２５の弾性で後側から前側に付勢され、モータ支持片２２が釦２０から装置筐体の内部の部品収容室４４に突出しかつスイッチ操作部２１やスイッチ基板２６およびスイッチ２８から離れかつスイッチ操作部２１やスイッチ基板２６およびスイッチ２８よりも後側に位置するように釦２０に設けられ、振動を発生するための偏心錘３９を有するモータ３６がモータ支持片２２のスイッチ操作部２１やスイッチ基板２６およびスイッチ２８よりも後側に位置する後部に取り付けられているので、遊技者が釦２０を押していてもいなくても、上記制御装置から電力がモータ配線４０を経由してモータ３６に供給され、モータ３６の出力軸３８が回転すると、偏心錘３９が出力軸３８を中心として周回して振動を発生し、係るモータ３６の駆動による偏心錘３９から発生した振動がスイッチ操作部２１やスイッチ基板２６およびスイッチ２８に伝達されることなくモータ支持片２２から釦２０に直接的に伝達され、釦２０の振動を遊技者に適切に認識させることができるという利点がある。
【００２３】
前側容器２と後側容器１３とからなる装置筐体にはスイッチ配線３３とモータ配線４０とを互いに別々の配線として部品収容室４４から装置筐体の外部に引き出す配線孔１４が設けられているので、スイッチ配線３３が部品収容室４４においてモータ支持片２２やモータ３６および偏心錘３９に接触しない限り、モータ３６の駆動による偏心錘３９から発生した振動がスイッチ配線３３やコネクタ３２；３４に伝達されることがなく、スイッチ２８の信号がノイズを含まずにスイッチ配線３３を経由して図外の制御装置に出力されるという利点がある。モータ支持片２２が釦２０を部品収容室４４に前後方向に移動可能に配置しかつ装置筐体２に脱落しないように装着するための筐体取付足として構成されているので、モータ支持片２２と筐体取付足とを釦２０に別々に構成した場合よりも、構造が簡単になるという利点がある。モータ取付部２４と釦取付足３７とが互いに嵌め合わされることによって、モータ３６がモータ支持片２２に取り付けられているので、モータ３６の交換が容易になるという利点がある。
【００２４】
図４を参照し、押釦装置１の取り付けられた遊技機としてのパチンコ遊技機について説明する。図４において、４８は遊技機枠、４９は窓、５０は前面パネル、５１は球受皿、５２は球発射操作機構、５３は球発射機構、５４は遊技盤、５５は遊技領域、５６はガイドレール、５７はアウト口、５８は始動部品、５９は確定表示器、６０は演出表示器、６１は可変入賞部品、６２は一般入賞部品を示す。
【００２５】
遊技機枠４８は、遊技機設置構造体に設置される遊技機筐体を構成する。遊技機設置構造体は、遊技店のパチンコ遊技機を設置する島とも呼ばれる設備である。窓４９は、前後方向への貫通孔として、遊技機枠４８の前面に形成される。前面パネル５０は、窓４９を閉鎖するガラスのような無色の光透過性の有る材料から構成され、遊技機枠４８の内部に設けられる。球受皿５１は、パチンコ球と呼ばれる球を入れる容器として、遊技機枠４８の前面に設けられる。球発射操作機構５２は、遊技者の操作量に応じた出力を図外の制御装置に出力する電気部品を有する機構として、遊技機枠４８の前面に設けられる。球発射機構５３は、図外の制御装置からの制御によって球発射操作機構５２の操作量に応じた発射力で駆動する機構として、遊技機枠４８の内部に設けられる。押釦装置１が球受皿５１の前面に設けられているので、図１の押釦取付部材４６が球受皿５１の前面を構成する部材に相当する。
【００２６】
遊技盤５４は、遊技機枠４８に交換可能に格納される。遊技盤５４が遊技機枠４８に格納された場合、遊技領域５５、ガイドレール５６、アウト口５７、始動部品５８、確定表示器５９、演出表示器６０、可変入賞部品６１、一般入賞部品６２が、遊技機枠４８の前側から窓４９および前面パネル５０を通して視認可能になる。遊技領域５５は、球発射機構５３から発射された球の飛び交う領域として、前面パネル５０と遊技盤５４の前面との間におけるガイドレール５６で囲まれた部分として形成される。ガイドレール５６は、遊技機枠４８または遊技盤５４に設けられる。アウト口５７は、遊技領域５５の最下部に到達した球を遊技盤５４の裏側に排出する部分として遊技盤５４に設けられる。始動部品５８、確定表示器５９、演出表示器６０、可変入賞部品６１、一般入賞部品６２は、遊技盤５４に設けられる。
【００２７】
図外の制御装置が電力で起動した状態において、遊技者が球受皿５１にパチンコ球と呼ばれる球を入れ、遊技者が球発射操作機構５２を右回りに操作すると、球発射機構５３が球発射操作機構５２の操作量に応じた発射力で駆動し、球発射機構５３が球受皿５１から遊技機枠４８の内部に取り込まれた球を１個ずつ遊技領域５５に向けて発射する。遊技領域５５に到達した球は、遊技領域５５を流下する過程において、可変入賞部品６１や始動部品５８および図外の一般入賞部品などの遊技部品に衝突して、流れる方向を変えながら、可変入賞部品６１または始動部品５８または図外の一般入賞部品に入って遊技盤５４の裏側に排出される。可変入賞部品６１または始動部品５８または図外の一般入賞部品のいずれにも入らないで、遊技領域５５の最下部に到達した球は、アウト口５７から遊技盤５４の裏側に排出される。球が始動部品５８、可変入賞部品６１の入球検出器１３、図外の入賞部品のいずれかに入ると、図外の球払出機構が賞球としての球を遊技者に与えるように球受皿５１に払い出す。
【００２８】
パチンコ遊技の一例について説明する。遊技領域５５を流下する球が始動部品５８に入賞し、始動部品５８に入賞した球を検出した入賞球検出器が入賞信号を制御装置に出力すると、制御装置に内蔵されたコンピュータが内部抽選を行うとともに確定表示器５９や演出表示器６０を制御する。内部抽選の結果としては、当たりまたは外れが選出される。内部抽選の結果として当たりが選択された場合、確定表示器５９が変動表示を開始した後に当たりを示す確定表示を停止表示する。その後、制御装置に内蔵されたコンピュータが可変入賞部品６１の開閉体を開閉する大当たり遊技を開始する。内部抽選の結果として外れが選択された場合、確定表示器５９が変動表示を開始した後に外れを示す確定表示を停止表示する。その後、制御装置に内蔵されたコンピュータが可変入賞部品６１の開閉体を開閉することなく、始動部品５８に球が入るのを待つ。
【００２９】
前記制御装置による演出表示器６０への制御によって、演出表示器６０が確定表示器５９の変動表示中を演出している場合において、例えば、遊技者に釦２０の操作を促すキャラクタが演出表示器６０の画面に表示される場合、制御装置が図１のモータ３６に電力を供給し、釦２０が振動して遊技者に釦２０の操作を促す。つまり、遊技中において、釦２０が振動することによって、遊技者に釦２０の操作を促すことを、視覚、聴覚、触覚で遊技者に伝えることができる。そして、演出表示器６０の画面に表示されたキャラクタまたは釦２０による振動を確認した遊技者が釦２０を前側から後側に押すと、図１のスイッチ２８がスイッチ操作部２１を検出していることを示すオン信号を制御装置に出力し、制御装置に内蔵されたコンピュータが、確定表示器５９の変動表示後に表示される確定表示に相当する内部抽選の結果として選択された内容、例えば「リーチです」、「当たりです」、「残念です」などの当たりまたは外れを示すメッセージを、演出表示器６０の画面に表示する。このように釦２０が遊技機に搭載された演出表示器６０などの部品に演出を指示する演出釦として構成されていれば、演出に関する操作が、遊技者の視覚、聴覚、触覚に訴えられるという利点がある。
【産業上の利用可能性】
【００３０】
図１において、配線孔１４は、押釦取付部材４６よりも後側であれば、前側容器２に設けられてもよい。
【００３１】
図２において、スイッチ２８は、マイクロスイッチにより構成してもよい。後側容器１３は、前側が開口し、後側が塞がれた、有底筒状であってもよい。装置筐体は、前側と中間および後側の３体またはそれ以上からなる容器が組み合わせられた構成でもよい。出力軸３８がスイッチ基板２６の側に位置するように前側に向けられ、モータ３６がモータ支持片２２に取り付けられることによって、偏心錘３９がスイッチ基板２６やコネクタ３２；３４およびスイッチ配線３３から離れかつスイッチ基板２６とモータ３６との間の隙間に配置されてもよい。モータ３６がモータ支持片２２に止ねじで取り付けられてもよい。配線孔１４は、スイッチ配線３３やモータ配線４０の通過可能な大きさであれば、コネクタ３５；４１の通過可能または通過不可能な大きさであってもよい。しかし、配線孔１４がコネクタ３５；４１の通過不可能な大きさの場合は、コネクタ３５が部品収容室４４から配線孔１４を経由して装置筐体の外部に引き出されたスイッチ配線３３に取り付けられ、コネクタ４１が部品収容室４４から配線孔１４を経由して装置筐体の外部に引き出されたモータ配線４０に取り付けられる。
【００３２】
図２において、弾性受止部６は、釦収容部５の前面から前側容器２の内部に窪むことなく釦収容部５の前面として、前側容器２の前部に設けられてもよい。この場合、操作逃避孔８は、釦収容部５の前面に形成される。弾性体２５は、ゴムからなる筒体により構成されてもよい。位置決め部１０が突起として構成され、位置決め部１５が突起なる位置決め部１０を収容する凹部または溝として構成されてもよい。位置決め部１０；１５は、無くてもよい。モータ取付部２４が突起として構成され、釦取付足３７が突起なるモータ取付部２４を収容する凹部または溝として構成されてもよい。弾性支持片４が除去され、前側容器２の周壁に雄ねじ部が形成され、この雄ねじ部にナットが装着されることによって、当該ナットおよび鍔部３がそれらの間に押釦取付部材４６を前後方向から挟む格好となって、押釦装置１が遊技機における押釦取付部材４６に固定的に取り付けられるようにしてもよい。
【００３３】
図５および図６は、発明を実施するための異なる形態である。図５は、前側容器２および後側容器１３を分解して示す。図６は、前側容器２および後側容器１３を組み立てた断面を示す。図５において、６５は前側取付部、６６は収容台座、６７は後側取付部を示す。前側取付部６５は、後側容器１３を前側容器２に固定的に取り付けるための部分として図２の前側取付部１１に置換されるものであって、径方向への貫通孔として、前側容器２の周壁の後部に複数設けられる。収容台座６６は、前側容器２の内部空間に収容されるものであって、後側容器１３の前面から前側に突出した部分として後側容器１３に設けられる。収容台座６６の外周面が前側容器２の内周面に接触するかまたは接触する程度に、収容台座６６の外径は形成される。後側取付部６７は、前側容器２を後側容器１３に固定的に取り付けるための部分として図２の後側取付部１６に置換されるものであって、収容台座６６から径方向外側に突出する突起として、収容台座６６に複数設けられる。後側取付部６７と後側容器１３における収容台座６６から径方向外側に露出する前面との間には、隙間が存在する。図５では図示を省略したが、前側容器２には、図２における釦収容部５、弾性受止部６、釦取付孔７、操作逃避孔８、基板取付部９、化粧取付部１２が設けられている。
【００３４】
前側容器２および後側容器１３が互いに組み合わせられる場合、収容台座６６が前側容器２の後側から内部空間に挿入されるのに伴い、位置決め部１０と位置決め部１５とが互いに嵌め合わせられ、前側取付部６５と後側取付部６７とが互いに嵌め合わせられる。これによって、前側容器２および後側容器１３が図６に示すように互いに組み立てられる。この異なる形態の場合、図２に示す止ねじ４３が省けるという利点がある。
【００３５】
図５において、前側取付部６５が突起として構成され、後側取付部６７が突起なる前側取付部６５を収容する凹部として構成されてもよい。
【図面の簡単な説明】
【００３６】
【図１】押釦装置を押釦取付部材に取り付けた断面図（最良の形態）。
【図２】押釦装置の分解斜視図（最良の形態）。
【図３】押釦装置の外観斜視図（最良の形態）。
【図４】押釦装置の取り付けられたパチンコ遊技機の正面図（最良の形態）。
【図５】前側容器および後側容器の分解斜視図（異なる形態）。
【図６】前側容器および後側容器の組立断面図（異なる形態）。
【図７】押釦装置の断面図（従来）。
【図８】押釦装置の断面図（従来）。
【符号の説明】
【００３７】
１    押釦装置
２    前側容器（装置筐体）
１３  後側容器（装置筐体）
１４  配線孔
２０  釦
２１  スイッチ操作部
２２  モータ支持片
２５  弾性体
２６  スイッチ基板
２８  スイッチ
３３  スイッチ配線
３６  モータ
３８  出力軸
３９  偏心錘
４０  モータ配線
４４  部品収容室
４６  押釦取付部材
【図１】
2008061687.tif 000003
【図２】
2008061687.tif 000004
【図３】
2008061687.tif 000005
【図４】
2008061687.tif 000006
【図５】
2008061687.tif 000007
【図６】
2008061687.tif 000008
【図７】
2008061687.tif 000009
【図８】
2008061687.tif 000010